(57)【特許請求の範囲】
【請求項１】
一方の容器から他方の容器への液体の移送を可能にするように少なくとも２つの容器を接続する方法であって、該方法は、
ａ）少なくとも第１の容器（５５）を有する第１のカセット（５１）を第１のトレイ（１）上に置く工程であって、前記第１のカセット（５１）又は前記第１の容器（５５）は第１のデータ保存手段（５３）を有し、前記第１の容器（５５）は外部の容器と連結し、前記第１の容器（５５）は複数の接続手段（５７）を有する工程と、
ｂ）液体が詰められた第２の容器（６５）を有する第２のカセット（６１）を第２のトレイ（３）上に置く工程であって、前記第２のカセット（６１）又は前記第２の容器（６５）は第２のデータ保存手段（６３）を有する工程と、
ｃ）前記第１及び第２のトレイ（１、３）にそれぞれ設けられた第１及び第２のデータ読出手段（５、７）により、前記第１及び第２のデータ保存手段（５３、６３）からデータを読み出す工程と、
ｄ）コントローラにより前記第１及び第２のデータ保存手段（５３、６３）からの前記データを処理し、前記第１及び第２のデータ保存手段（５３、６３）からの前記データが互いに合致するかどうかを照合する工程と、
ｅ１）照合結果が否定の場合、ユーザに通知し、そして、前記第２の容器（６５）を有する前記第２のカセット（６１）を取り除き、前記工程ｂ）からの工程を繰り返す工程と、
ｅ２）照合結果が肯定の場合、前記第１の容器（５５）と前記第２の容器（６５）を接続する工程と、
ｆ）前記第２の容器（６５）を有する前記第２のカセット（６１）を前記第２のトレイ（３）から取り除く工程と、
ｇ）複数の第２の容器（６５）が前記第１の容器（５５）に接続されるように、前記ｂ）からｆ）の工程を複数回繰り返す工程と、
ｈ）前記液体を前記複数の第２の容器（６５）から前記第１の容器（５５）に移送する工程と、
ｉ）前記複数の第２の容器（６５）を前記第１の容器（５５）から切り離す工程と、
を有する、少なくとも２つの容器を接続する方法。
【請求項２】
請求項１記載の少なくとも２つの容器を接続する方法において、前記第１及び第２のデータ保存手段は、第１及び第２のＲＦＩＤタグ（５３、６３）の形態で設けられ、及び前記第１及び第２のデータ読出手段は、それぞれ第１及び第２のＲＦＩＤリーダ（５、７）であり、及び／又は前記第１のデータ保存手段は、第１のラベルの形態で設けられ、及び／又は前記第２のデータ保存手段は、第２のラベルの形態で設けられ、前記第１のデータ保存手段の前記データは、第１のバーコード及び／又は第１のテキストの形態で印刷され、及び／又は、前記第２のデータ保存手段の前記データは、第２のバーコード、及び／又は第２のテキストの形態で印刷され、及び／又は、前記第１のデータ読出手段は、第１のバーコードリーダ及び／又は第１のテキストリーダの形態で設けられ、及び／又は、前記第２のデータ読出手段は、第２のバーコードリーダ及び／又は第２のテキストリーダの形態で設けられることを特徴とする少なくとも２つの容器を接続する方法。
【請求項３】
請求項１又は２記載の少なくとも２つの容器を接続する方法において、前記移送される液体は、血液細胞採取プロセスから残っているバフィーコートであることを特徴とする少なくとも２つの容器を接続する方法。
【請求項４】
請求項１〜３のいずれか１項に記載の少なくとも２つの容器を接続する方法において、中央サーバ（１５）へのデータ通信線（１３）が確立され、前記中央サーバは前記コントローラに設けられることを特徴とする少なくとも２つの容器を接続する方法。
【請求項５】
請求項１〜４のいずれか１項に記載の少なくとも２つの容器を接続する方法において、前記接続手段は、前記第１及び第２の容器（５５、６５）におけるチューブ（５７、６７）の形態で設けられ、前記工程ｅ２）は、前記第１の容器（５５）の前記チューブ（５７）及び前記第２の容器（６５）の前記チューブ（６７）を切断して、そして、前記チューブ（５７）と前記チューブ（６７）を一体にホットメルトすることにより実行されることを特徴とする少なくとも２つの容器を接続する方法。
【請求項６】
請求項１〜５のいずれか１項に記載の少なくとも２つの容器を接続する方法において、前記液体が重力により移送されるよう、前記複数の第２の容器（６５）は、前記第１の容器（５５）の上方に配置されることを特徴とする少なくとも２つの容器を接続する方法。
【請求項７】
請求項１〜６のいずれか１項に記載の少なくとも２つの容器を接続する方法において、前記方法に関するデータは、それぞれのＲＦＩＤライタ（５、７）により前記第１及び／又は前記第２のデータ保存手段（５３、６３）に書き込まれ、及び／又はプリンタによりそれぞれのラベルに印刷されることを特徴とする少なくとも２つの容器を接続する方法。
【請求項８】
一方の容器から他方の容器へ液体の移送を可能にするように少なくとも２つの容器を接続するためのワークステーションであって、
第１のデータ保存手段（５３）と少なくとも第１の容器（５５）とを有する第１のカセット（５１）が置かれる第１のトレイ（１）と、
第２のデータ保存手段（６３）と第２の容器（６５）とを有する第２のカセット（６１）が置かれる第２のトレイ（３）と、
前記第１及び第２のデータ保存手段（５３、６３）のデータをそれぞれ読み出す第１及び第２のデータ読出手段（５、７）と、
前記第２の容器（６５）から前記第１の容器へと液体を移送可能な方式で前記第１の容器（５５）に設けられた複数の接続手段（５７）及び複数の前記第２の容器（６５）にそれぞれ設けられた接続手段（６７）を接続するための接続装置（１０）と、
前記第１のデータ保存手段（５３）からのデータと前記第２のデータ保存手段（６３）からのデータとが合致しているかどうかを照合する照合手段とを備え、
前記接続装置（１０）は、前記照合手段による照合結果が肯定の場合、前記第１の容器（５５）の前記接続手段（５７）の１つと前記第２の容器（６５）の前記接続手段（６７）とを接続する工程を実施し、
前記工程を複数回繰り返すことにより、前記第１の容器（５５）と前記複数の第２の容器（６５）とを接続する、ワークステーション。
【請求項９】
請求項８記載のワークステーションは、中央サーバ（１５）と通信するコントローラ及び／又は通信手段（１３）をさらに備えることを特徴とするワークステーション。
【請求項１０】
請求項８又は請求項９記載のワークステーションは、前記第１及び第２のトレイ（１、３）にそれぞれ割り当てられた、第１及び第２のデータ書込手段（５、７）をさらに備えることを特徴とするワークステーション。
【請求項１１】
請求項８〜１０のいずれか１項に記載のワークステーションにおいて、前記接続装置（１０）は、前記接続手段を構成するチューブ（５７、６７）を切断する切断手段と該チューブ（５７、６７）をホットメルトするホットメルト手段とを備えることを特徴とするワークステーション。
【請求項１２】
請求項１０記載のワークステーションにおいて、前記第１及び第２のデータ読出手段は、それぞれＲＦＩＤリーダ（５、７）の形態で、及び／又はそれぞれバーコードリーダ及び／又はテキストリーダの形態で設けられ、及び／又は、前記第１及び第２のデータ書込手段は、ＲＦＩＤライタ及び／又はプリンタの形態で設けられることを特徴とするワークステーション。
【発明の詳細な説明】
【技術分野】
【０００１】
本発明は、接続方法、及び該接続方法を実行することに適したワークステーションに関する。特に、接続方法は、少なくとも一方の容器が液体を収容する２つの容器の接続に関する。
【背景技術】
【０００２】
輸血医学において、１９９０年代の初めから、いわゆる血液成分療法が成功を収めてきた。これは、保存血液全体の代わりに、患者が個々に必要な血液成分のみを投与されることを意味する。個々の血液成分のこの別々の投与により、１単位の保存血液で平均１．８人の患者を最適に処置可能となる。
【０００３】
重要な血液成分には、血液の多量の損失後に酸素供給の保持のため輸液されるいわゆる赤血球濃厚液（ｅｒｙｔｈｒｏｃｙｔｅ  ｃｏｎｃｅｎｔｒａｔｅ）の赤血球、凝血障害（血友病）の場合に投与される血小板濃厚液（ｔｈｒｏｍｂｏｃｙｔｅ  ｃｏｎｃｅｎｔｒａｔｅ）の血小板、及び凝血障害及び容量不足の場合に投与される血漿が含まれる。これとは別に、血漿は、多数の医薬品の製造のための、基本的な成分である。
【０００４】
細胞回収（ｃｅｌｌ  ｈａｒｖｅｓｔｉｎｇ）と呼ばれる個々の血液成分の分離は、血液を遠心分離機において処理することによって行われることが知られている。遠心分離により、個々の血液成分は互いに分離され、ついで好適な容器に別々に満たされ、別々に使用されることが可能である。
【発明の概要】
【発明が解決しようとする課題】
【０００５】
しかしながら、これに関連して、年齢、血液型、性別等の供血者のデータを最終製剤に割り当てることは、本質的な問題を起こす。これらのデータが繰り返し伝達されることにより、間違った伝達がされる大きな危険性があり、これにより、最終製剤の誤ったマーキングを引き起こす可能性がある。正しいデータ伝達をチェックすることは、高い費用で唯一可能なことであるか、或いは不可能でさえある。
【０００６】
従って、複数の処理ステップにわたる確実なデータ伝達を保証する装置及び方法を作製する必要性が存在する。
【０００７】
出願人は、複数の方法ステップにわたり確実なデータ伝達を保証する現在知られる技術を国内において開発してきた。それには、献血、血液の輸送、例えば遠心分離プロセスにより血液を赤血球濃厚液、血漿及びバフィーコートのような成分に分離し、これら成分（例えば、血液製剤）を別々の容器に移すこと、血液製剤の入った容器のマーキングがある。
【０００８】
しかしながら、血液製剤の分離処理が完了するとき、献血された血液の収集及び移送に使用される容器内に、少量のバフィーコートが残る。よって、バフィーコートからの血小板又は栓球の採取のようなさらなる処理を経済的に可能にするため、異なる供血者及び／又は献血から通常生じる少量のバフィーコートを一緒にまとめる。通常、この目的で、異なる供血者／献血のバフィーコートは新しい容器に収集される。一般に、そのような処理は、”バフィーコートプーリング（ｂｕｆｆｙ  ｃｏａｔ  ｐｏｏｌｉｎｇ）”として知られている。従って、新しい容器を、バフィーコートを収容する他の容器に繰り返し接続しなければならない。
【０００９】
この処理において、それぞれの供血者のデータ及び献血データの正確な割り当て及び照合は、互いに合致しないバフィーコートの混合を避けるためには、非常に重要である。例えば、重要な項目としては、異なる供血者の血液型が互いに合致し、同時に、バフィーコートの経時も互いに合致しなければならないことがある。従って、献血日の違いはある範囲内になければならない。
【００１０】
よって、２つの容器を接続する際、確実なデータ割り当て及び照合を可能にする方法及び装置の必要性がある。
【課題を解決するための手段】
【００１１】
本発明によれば、一方の容器から他方の容器に液体の移送を可能にするように少なくとも２つの容器を接続する方法は、ａ）少なくとも第１の容器を有するカセットを第１のトレイ上に置く工程であって、第１のカセット又は第１の容器は第１のデータ保存手段を有し、第１の容器は外部の容器と連結している工程と、ｂ）液体が詰められた第２の容器を有する第２のカセットを第２のトレイ上に置く工程であって、該カセット又は該容器は第２のデータ保存手段を有する工程と、ｃ）第１及び第２のトレイにそれぞれ設けられた第１及び第２のデータ読出手段により、第１及び第２のデータ保存手段からデータを読み出す工程と、ｄ）コントローラにより第１及び第２のデータ保存手段からの前記データを処理し、前記第１及び第２のデータ保存手段からの前記データが互いに合致するかどうか照合する工程と、ｅ１）照合結果が否定の場合、ユーザに通知し、そして、前記第２の容器を有する前記第２のカセットを取り除き、前記工程ｂ）からの工程を繰り返す工程と、ｅ２）照合結果が肯定の場合、前記第１の容器と前記第２の容器を接続する工程と、ｆ）前記第２の容器を有する前記第２のカセットを前記第２のトレイから取り除く工程と、ｇ）複数の第２の容器が前記第１の容器に接続されるように、前記ｂ）からｆ）の工程を複数回繰り返す工程と、ｈ）前記液体を前記複数の第２の容器から前記第１の容器に移送する工程と、ｉ）前記複数の第２の容器を前記第１の容器から切り離す工程とを有する。
【００１２】
カセット又はカセットに取り付けられた容器はデータ保存装置を有するので、それぞれのデータ保存装置のデータが、容器の内容に対応することが確実に保証される。第２のカセットの場合、これは、第２の容器内の液体が第１の容器内の液体に合致するかどうか、また第２の容器内の液体が第１の容器に以前に接続された第２の容器内の液体に合致するかどうかが照合されることを意味する。例えばバフィーコートプーリングの場合、血液型が互いに合致するかどうか、又はバフィーコートの経時が互いに合致するかどうかを照合してもよい。
【００１３】
接続方法の終了後、この方法の繰り返し実行した数に対応する数のバフィーコートが、第１の容器に収集される。しかし、互いに合致する十分な数のバフィーコートがない場合、単にいくつかの第２の容器に接続された第１のカセット及び容器を、工程ｆ）の後に取り除き、バフィーコートの供給が再開されるまでのある期間、保管してもよい。
【００１４】
この場合、第１の容器の新しい内容に関するデータを、カセットの除去前に第１のデータ保存手段に書き込むことが可能である。又は、新しいデータを第１のデータ保存手段に書き込む代わりに、第１のカセットのＩＤ番号並びにその内容を、コントローラによって、この方法を実行するのに使用されるワークステーションに設けられた或いは外部サーバに設けられたメモリに保存することが可能である。よって、後日この方法を再開するとき、そのときの新しい第２のデータ保存手段のデータを該保存したデータと照合することが可能である。
【００１５】
第１の及び第２のデータ保存手段は、第１及び第２のＲＦＩＤタグの形態であり、データ読出手段は、それぞれ第１及び第２のＲＦＩＤリーダであることが好ましい。加えて又は或いは、データ保存手段は第１及び／又は第２のラベルの形態で設けられ、データは第１及び／又は第２のバーコード又は実際のテキストの形態で印刷される。そのような場合、データ読出手段は、第１及び／又は第２のバーコードリーダ及び／又はテキストリーダの形態で、単独で又は付加的に設けられる。
【００１６】
好適には、移送される液体は、血液細胞採取プロセスから残っているバフィーコートであってもよい。
【００１７】
好適には、中央サーバへのデータ通信線が確立され、前記中央サーバはコントローラに設けられてもよい。
【００１８】
好適には、接続手段は、チューブの形態で第１及び第２の容器において設けられ、工程ｅ２）は、２つのチューブ（すなわち各容器の各チューブ）を切断し、そして、一体的にホットメルトすることにより実行される。このような切断・ホットメルトにより、汚染にさらすことなく、２つの容器を無菌状態で接続することが可能となる。
【００１９】
複数の第２の容器全部が第１の容器に接続された後に、液体の移送は行われることが好ましい。好適には、液体を重力により移送できるよう、第２の容器は第１の容器の上方に配置されるのがよい。
【００２０】
好適には、方法ステップに関するデータ及び／又は容器の内容に関するデータは、第１及び／又は第２のデータ保存手段に書き込まれることがよい。例えば、方法の繰り返し回数、供血者の血液型、献血日及び他のデータを、第１のデータ保存手段に書き込んでよい。また、第１のデータ保存手段のＩＤ番号を第２のデータ保存手段に書き込んでもよい。データ書き込み手段は、ＲＦＩＤライタの形態で設けられることが好ましい。しかしながら、データを、例えばバーコード及び／又はテキストの形態でプリンタによってラベルに印刷してもよい。
【００２１】
さらに、本発明によれば、一方の容器から他方の容器への液体の移送を可能にするように少なくとも２つの容器を接続するワークステーションは、第１のデータ保存手段と少なくとも第１の容器とを有する第１のカセットが置かれる第１のトレイと、第２のデータ保存手段と第２の容器とを有する第２のカセットが置かれる第２のトレイと、前記第１及び第２のデータ保存手段のデータをそれぞれ読み出す第１及び第２のデータ読出手段と、前記第１の容器と前記第２の容器とを接続する接続装置を備える。
【００２２】
そのようなワークステーションは、本発明に係る方法の実行に好適である。
【００２３】
ワークステーションは、さらに中央サーバと通信するコントローラ及び／又は通信手段を有してもよい。
【００２４】
これにより、例えば、どの種類の製剤が必要とされているかを知るために、血液バンクの中央サーバとデータ交換をすることができる。
【００２５】
さらに、ワークステーションは、第１及び／又は第２のデータ保存手段にデータを書き込む書込手段を有してもよい。それによって、例えば処理を中断して後で続けようとする場合、保存された情報のアップデートが、いつでも可能になる。
【００２６】
好適には、接続装置は、チューブを切断しホットメルトする切断手段及びホットメルト手段を有してもよい。さらに、第１及び第２のデータ読出手段は、それぞれＲＦＩＤリーダの形態及び／又はバーコードリーダの形態で設けてもよく、及び／又はデータ書込手段は、１以上のＲＦＩＤライタ及び／又は１以上のバーコードプリンタ及び／又は１以上のテキストプリンタの形態で設けてもよく、該プリンタは、第１又は第２の容器に付けられるラベルに印刷可能である。
【００２７】
本発明のさらなる効果は、添付の図と共に、好ましい実施形態の記載から理解されよう。
【図面の簡単な説明】
【００２８】
【図１】図１は、好ましい実施形態のワークステーションの概略図である。
【図２】図２は、本発明の効果を理解するための概略図である。
【発明を実施するための形態】
【００２９】
好ましい実施形態に係る、少なくとも２つの容器を接続する方法並びにワークステーションが、図１に基づいて説明される。
【００３０】
ワークステーションは、第１トレイ１及び第２トレイ３を有する。それぞれのＲＦＩＤリーダ／ＲＦＩＤライタ５及び７が、各トレイに割り当てられる。収容チャンバ９は、２つのトレイ１、３の間に設けられる。さらに、収容チャンバ９内に、蓋１１を有する複合された切断・ホットメルト装置１０が提供される。
【００３１】
データ通信線１３を介して、ＲＦＩＤリーダ／ＲＦＩＤライタ５、７からのデータは、サーバ１５に転送可能である。サーバ内には、データ処理の制御ユニットがある。
【００３２】
本発明の方法を実行するため、ユーザは、本発明にしたがって、第１データ保存手段として機能するＲＦＩＤタグ５３を有する第１のカセット５１を、トレイ１上に置く。本発明にしたがって、保存液で満たされた第１容器として機能するプーリングバッグ５５は、カセット１に固定して取り付けられる。複数のチューブ５７のうち、図１に示される１本のみが、プーリングバッグ５５に接続される。プーリングバッグ５５は、トレイ１から下側に垂れ下がるように置かれる。プーリングバッグ５５に割り当てられたチューブ５７のうちの１本は、切断・ホットメルト装置１０の受容溝内に挿入される。さらに、図１に図示しない製品バッグが、これも図示しない他のチューブを介してプーリングバッグ５５に接続される。プーリングバッグ５５と製品バッグとの間の接続は、クランプによって遮断される。
【００３３】
それから、同様の方法で、本発明にしたがって、第２のデータ保存手段として機能するＲＦＩＤタグ６３を有するカセット６１が、トレイ３上に置かれる。血液細胞採取プロセスから残っているバフィーコートを含む献血バッグ６５が、カセット６１に固定して取り付けられる。
【００３４】
バフィーコートは、血液成分の赤血球濃厚液、血漿及びバフィーコートの分離が遠心分離機で行われる血液細胞採取プロセスの残りである。最初の２つの成分は、献血バッグ６５に接続された製品バッグに移送され、一方、バフィーコートは献血バッグ内に残る。移送後、血漿及び赤血球濃厚液をそれぞれ有する製品バッグは献血バッグから切り離され、個別にさらに処理される。
【００３５】
バフィーコートを含む献血バッグ６５は、トレイ３上に置かれる。よって、プーリングバッグ５５と献血バッグ６５との間には高さに違いがある。
【００３６】
しかしながら、献血バッグ６５に接続されたチューブ６７も、切断・ホットメルト装置１０の対応の受容溝に挿入される。
【００３７】
その後、切断・ホットメルト装置１０の蓋１１は閉じられ、チューブが固定される。適切に閉められるようにするため、チューブ６７の形状並びにチューブ５７の形状に適合するように、蓋１１内に対応する凹部が設けられる。
【００３８】
前述の準備の実行後、ユーザはワークステーションに設けられた開始ボタンを押す。
【００３９】
その後、ＲＦＩＤリーダ５及びＲＦＩＤリーダ７が、ＲＦＩＤタグ５３及び６３に保存されたデータをそれぞれ読み出す。通信線１３経由で、データはサーバ１５に送信され、そこで制御ユニットが、データが互いに合致するかどうか照合する。照合に使用されるデータは、供血者の血液型及びその他の個人データ、献血日、カセット５１及び６１のＩＤ番号等を含むことが可能である。
【００４０】
データ照合が肯定であれば、制御ユニットはそれに応じて切断・ホットメルト装置１０に通知する。そして、切断・ホットメルト装置１０は、２つのチューブ５７と６７の接続処理を開始する。その処理において、例えば、切断することによって、２つのチューブ５７及び６７の端部を開放し、そして、該端部を一体にホットメルトする。
【００４１】
そして、ＲＦＩＤリーダ／ＲＦＩＤライタ５及び７は、それに応じてＲＦＩＤタグ５３及び６３内に保存されたデータを変更し、現在の状況を反映させる。すなわち、ＲＦＩＤタグ５３のメモリは、接続された容器６５に関する付加された情報、並びに供血者、献血等に関するデータを有する。その後、カセット６１は取り外され、新しいカセット６１に交換され、プーリングバッグ５５の複数のチューブ５７のそれぞれが、それぞれのカセット６１に取り付けられたそれぞれの献血バッグ６５の１本のチューブ６７に接続されるまで、上記プロセスが２回から８回繰り返される。
【００４２】
バフィーコートを含む献血バッグの十分な供給がない場合、カセット５１を、それぞれの献血バッグ６５を含むそのとき取り付けられた第２のカセット６１と共に取り外すことにより、接続処理を中断できる。この場合、必要とされるバフィーコートの不足が解消された後、再度使用されるためにカセット５１及びカセット６１を保管しておくことができる。
【００４３】
カセット５１でプーリング処理を再開する際、データがＲＦＩＤタグ５３に保存されているので、そのときの新しいバフィーコートがプーリングバッグにすでに存在しているバフィーコートに合致するかどうかの確実な判断及び照合を行うことが可能である。
【００４４】
接続処理に続いて、すなわち、全てのチューブ５７が献血バッグ６５のそれぞれのチューブ６７に接続されたとき、全ての献血バッグ６５は、プーリングバッグ５５の上方の位置に置かれる。その後、複数の献血バッグ６５内に存在するバフィーコートの移送が、例えばチューブ６７及び５７に設けられたそれぞれのクランプを開けることにより開始される。
【００４５】
その後、プーリングバッグ５５と献血バッグ６５の高さの差により、献血バッグ６５内のバフィーコートは、チューブ６７及び５７を介してプーリングバッグ５５に流れ込む。そして、複数のチューブ５７と各チューブ６７との間の接続は再び切断され、その際に開放されたチューブ５７の端部は流体密及び気密に密閉される。
【００４６】
完全に満たされた後、カセット５１はプーリングバッグ５５と共に他の遠心分離プロセスに移され、バフィーコートに含まれる血小板／栓球が採取される。ＲＦＩＤタグ５３を有するカセット５１がデータ伝送装置として機能するので、製品へのデータの確実な割り当てが、引き続いて行われる処理ステップにおいても可能である。
【００４７】
図２は、本発明の効果を理解するための概略図を示す。すなわち、処理全体を通して、献血された血液にはＲＦＩＤタグを有するカセットが随伴する。つまり、献血センターで、供血者のデータがＲＦＩＤタグに書き込まれる。そして、供血者は、ＲＦＩＤタグが付けられた献血バッグが取り付けられたカセットを受け取る。チューブを介して、製品バッグも献血バッグと接続しているが、接続はクランプにより遮断される（ステップＳ１）。
【００４８】
献血後、セット全体がさらに処理されるため血液センターに搬送される（Ｓ２）。そこで、献血バッグ及び製品バッグを有するカセットは、遠心分離機のインサートに置かれる。その後、赤血球濃厚液、血漿及びバフィーコートの分離のための遠心分離プロセスが行われる（Ｓ３）。
【００４９】
遠心分離プロセスの後、インサートがバッグと共に、マーキングプロセスのためのワークステーションのスロット内に挿入される（Ｓ４）。マーキング用ワークステーションで製品バッグが切り離され密閉されて、カセットは、バフィーコートを含む献血バッグと共にバフィーコートプーリングプロセスへ移され（Ｓ５）、本明細書に記載されたように、異なる供血者のバフィーコートが、さらに処理されるために一緒にまとめられる。それぞれのカセットに取り付けられたＲＦＩＤタグにより、処理で使用される複数のバフィーコートが互いに合致するかどうかを、この処理で照合することが可能である。バフィーコートプーリングの後、得られたバフィーコート液は血小板採取プロセスへ移され（Ｓ６）、血小板がバフィーコート液から抽出される。
【００５０】
上述の実施形態の代わりに、以下の変形例が可能である。
【００５１】
変更されたデータをそれぞれのカセットに設けられたＲＦＩＤタグに書き込むことを説明したが、或いは、データを、サーバのメモリに保存してもよい。そのような場合、それぞれのカセットのＩＤ番号だけがＲＦＩＤリーダから読み出され、それぞれのカセットに関するデータは該メモリから取り出される。
【００５２】
ＲＦＩＤタグをカセットに設ける代わりに、献血バッグ又はプーリングバッグにそれぞれ設けてもよい。重要な点は、前処理及び後処理を含む処理全てを通して正確なデータの割り当てを確実にするため、ＲＦＩＤタグとバッグの内容とを切り離すことができないということである。
【００５３】
データ接続線は、有線、ＷＬＡＮ、ＵＭＴＳ、ブルートゥース等を介して確立が可能である。
【００５４】
バフィーコートの移送に重力を用いる代わりに、献血バッグを圧搾装置内に挿入して圧搾することにより、バフィーコートを移送してもよい。
【００５５】
バッグを使用する代わりに、ボトルのような他の適切な容器を使用してもよい。しかしながら、特にバッグは真空状態に設けることができるので、バッグの使用は好適である。よって、液体の扱いが容易になる。
【００５６】
プーリングバッグにおいて複数のチューブを使用する代わりに、１本のチューブをプーリングバッグに設けて、後で複数のチューブに分岐してもよい。そのような構成の場合、プーリング処理が完了した後のチューブの切り離しが容易になり、好適である。
【００５７】
本発明の保護の範囲は、添付の請求項によってのみ定義される。
【図１】
0005953298.tif 000002
【図２】
0005953298.tif 000003